(57)【要約】【課題】  操作者の操作が簡単で、ウォッシャ液の残量が操作者側で判断でき、ウォッシャ液が無い若しくは少ない場合には、ウォッシャ液の補充が容易な、ＣＣＴＶカメラシステムのウォッシャ装置及びウォッシャ方法を提供する。【解決手段】  ウォッシャボタンを一回押すだけで、一連の連動動作を可能とするプロセスとする。また、ウォッシャ液の残量がリモート側の操作器等に表示する。  また、ＳＵＳ製や防錆材料でＴＶカメラの本体を構成する。【選択図】  図２
2006049989.tif 000002
【特許請求の範囲】
【請求項１】
ウォッシャ装置を備えたＴＶカメラを有し、ＣＣＴＶカメラシステムにおいて、
操作者のウォッシャ開始操作に応じた操作信号を指定されたＴＶカメラ側に出力する操作部と、
該操作部からの該操作信号を入力し、ＴＶカメラ側のウォッシャの動作開始から動作停止を制御するＴＶカメラ側の制御装置と、
該制御装置からの制御信号を入力して、ウォッシャノズル位置に移動するＴＶカメラと、
該制御装置からの制御信号を入力して、ウオッシャ液の噴霧開始または噴霧停止をするウォッシャ装置とを備えたことを特徴とするＣＣＴＶカメラシステムのＴＶカメラ装置。
【請求項２】
請求項１記載のＣＣＴＶカメラシステムのＴＶカメラ装置において、
更に、上記制御装置からの制御信号を入力して、ワイパの駆動開始または駆動停止をするワイパ装置を備えたことを特徴とするＣＣＴＶカメラシステムのＴＶカメラ装置。
【請求項３】
請求項１または請求項２のいずれかに記載のＣＣＴＶカメラシステムのＴＶカメラ装置において、
上記ウォッシャ装置は、ウォッシャ液の残量を検出する検出部を備え、検出された残量を上記操作部に出力することを特徴とするＣＣＴＶカメラシステムのＴＶカメラ装置。
【発明の詳細な説明】
【技術分野】
【０００１】
本発明は、ウォッシャ装置を備えたＴＶカメラを備えたＣＣＴＶカメラシステムに係わり、特にウォッシャ装置の動作に関わる。
【背景技術】
【０００２】
図１を用いて、従来のＴＶカメラのウォッシャ方法の動作の一例を説明する。図１は、従来のＣＣＴＶカメラシステムにおけるウォッシャ装置を備えたＴＶカメラ装置のウォッシャ方法を説明するためのフローチャートである。
従来は、例えば、ウォッシャ装置の操作方法（制御方法）は、ＴＶカメラの前面ガラス部をウォッシャ装置のノズルの位置へ移動させた後、ウォッシャスイッチを押してウォッシャ液を噴霧していた（特許文献１参照。）。
尚、ＣＣＴＶカメラシステム全体の構成や機能は、例えば、特許文献２に記載がある。
【０００３】
図１においては、予めウォッシャ装置のノズル位置にＴＶカメラのプリセット位置を登録してある。
ステップ１０１では、操作者が操作器でウォッシャ装置のノズル位置のプリセット位置を選択する。制御器はその選択を認識し、ＴＶカメラにノズル位置に移動のための制御信号を送出する。
ステップ１０２では、制御器からの制御信号によってＴＶカメラをウォッシャ装置のノズル位置に移動する。移動は、ＴＶカメラを取付けた雲台を旋回させて実行する。
ステップ１０３では、操作者が操作器でウォッシャボタンを押す。制御器はその選択を認識し、ウォッシャ装置にウォッシャ液を噴霧の制御信号を送出し、ワイパ装置にワイパ駆動のための制御信号を送出する。
ステップ１０４では、制御器からの制御信号によってウォッシャ装置のノズルからウォッシャ液を噴霧する。
ステップ１０５では、制御器からの制御信号によってワイパ装置を駆動する。
ステップ１０６では、操作者が操作器のウォッシャボタンを離すと、制御器がそのことを認識して、ウォッシャ装置にウォッシャ液の噴霧停止のための制御信号を送出し、ワイパ装置にワイパ駆動停止のための制御信号を送出する。
ステップ１０７では、制御器からの制御信号により、ウォッシャ装置はウォッシャ液の噴霧を停止し、ワイパ装置はワイパ駆動を停止する。
【０００４】
【特許文献１】特開２００３−２５９１７３号公報
【特許文献２】特開２００４−１６５８０８号公報
【発明の開示】
【発明が解決しようとする課題】
【０００５】
上述の従来技術では、ウォッシャ液の噴霧をする際に、操作者は、
（１）ＴＶカメラ移動、（２）ウォッシャ液噴霧及びワイパ駆動、（３）ウォッシャ液停止及びワイパ停止、の３回の操作を行わなければならなかった。
【０００６】
しかも、上記操作でウォッシャ液が出ない場合には、ＴＶカメラ装置のウォッシャ装置まで、操作者または保守をする人が確認しに行っていた。
また、保守をする人は、ウォッシャ液を給水（補充）する際、ＴＶカメラや付属品の電気部品等にウォッシャ液がかからないように注意しながら行なっていた。更に、ウォッシャ装置本体の材質や塗装が、屋内仕様のため、ウォッシャ装置本体にもウォッシャ液がかからないように注意しながら行っていた。
本発明の目的は、操作者の操作が簡単で、ウォッシャ液の残量が操作者側で判断でき、ウォッシャ液が無い若しくは少ない場合には、ウォッシャ液の補充が容易な、ＣＣＴＶカメラシステムのＴＶカメラ装置を提供することにある。
【課題を解決するための手段】
【０００７】
上記の目的を達成するため、本発明のＣＣＴＶカメラシステムのＴＶカメラ装置は、ウォッシャ装置を備えたＴＶカメラを有し、ＣＣＴＶカメラシステムにおいて、操作者のウォッシャ開始操作に応じた操作信号を指定されたＴＶカメラ側に出力する操作部と、操作部からの該操作信号を入力し、ＴＶカメラ側のウォッシャの動作開始から動作停止を制御するＴＶカメラ側の制御装置と、制御装置からの制御信号を入力して、ウォッシャノズル位置に移動するＴＶカメラと、制御装置からの制御信号を入力して、ウオッシャ液の噴霧開始または噴霧停止をするウォッシャ装置とを備えたものである。
【０００８】
また、好ましくは、本発明のＣＣＴＶカメラシステムのＴＶカメラ装置は、更に、制御装置からの制御信号を入力して、ワイパの駆動開始または駆動停止をするワイパ装置を備えたものである。
また、好ましくは、本発明のＣＣＴＶカメラシステムのＴＶカメラ装置のウォッシャ装置は、ウォッシャ液の残量を検出する検出部を備え、検出された残量を操作部に出力するものである。
【０００９】
また、本発明では、ウォッシャ液の残りが少なくなった時、ウォッシャタンク内のフロートスイッチより接点信号を出力し、リモート側へ伝送する。リモート側では、この信号を受信したら、操作器等に情報を表示する。
ウォッシャ装置に付いている、ブレーカ、ランプ等の電気部品箇所は、水に触れないようにカバーをし、防水処理する。また、カバーから出る配線ケーブルについてもケーブルの出口箇所に防水コネクタを使用する。ウォッシャ装置本体の材質はＳＵＳ製とし、本体塗装も、屋外仕様と同様のアクリル又はポリウレタン樹脂焼き付け塗装処理とする。
【発明の効果】
【００１０】
本発明によれば、ウォッシャボタンを一回押すだけで、一連の連動動作が可能である。
本発明の別の効果として、ウォッシャ液の残量がリモート側の操作器等に表示され、操作側で残量が分かる。
本発明の別の効果として、ウォッシャ液をこぼした場合でもウォッシャ装置に漏電、錆び等の影響を与えることはない。
【発明を実施するための最良の形態】
【００１１】
本発明は、ＣＣＴＶカメラシステムにおいて、ウォッシャ機能を備えたＴＶカメラ装置であって、ウォッシャ液を噴霧するウォッシャ装置の操作とＴＶカメラのウォッシャ位置へのプリセット移動させる操作とを簡便に行う。
本発明は、ウォッシャ液が無いかどうかの状態をリモートで確認できる装置である。
本発明は、ウォッシャ装置本体、電気部品箇所を防水処理したウォッシャ装置である。
【００１２】
以下本発明の実施例を記載する。
図２は、ＣＣＴＶカメラシステムにおける複数のＴＶカメラ装置の１つについて、ウォッシャ装置が備えられたＴＶカメラ装置の設置状態を示した図である。1 はＴＶカメラ、3 はウォッシャ装置、4 はウォッシャ装置収納箱、5 はウォッシャ装置 3 のウォッシャノズル、2 はウォッシャ装置のノズル位置に移動した場合のＴＶカメラ、6 はウォッシャ装置を備えたＴＶカメラ装置を取付けるカメラポールである。
【００１３】
図２において、カメラポール 6 には、ウォッシャ装置 3 が収納されたウォッシャ装置 4 、ワイパ装置（図示しない）、その他アクセサリ（図示しない）、及び、ＴＶカメラ 1 が取付けられている。カメラポール 6 はＴＶカメラ 1 が所定の視野範囲を撮像するために好適な場所に据え付けられており、図示しない通信手段によって遠隔の操作器と結合されている。アクセサリには、例えば、照明装置、集音マイク、雨滴センサ、等がある。
遠隔の操作器は、操作者が操作し、操作器を介して、複数のＴＶカメラ装置と通信し、遠隔の複数のＴＶカメラ装置からの映像の監視、記録等を行い、かつ、遠隔のＴＶカメラ装置の各種制御を行う。各種制御とは、ＴＶカメラの画質の調整、プリセット制御、ウォッシャ装置の駆動、ワイパ装置の駆動、その他アクセサリ、等、ＣＣＴＶカメラシステムを運営するために必要な制御を言う。
【００１４】
図４によって、本発明のウォッシャ動作の一実施例を説明する。図４は、本発明のＣＣＴＶカメラシステムのウォッシャ装置を備えたＴＶカメラ装置の一実施例のブロック図である。41 はＴＶカメラ、43 はウォッシャ装置、47 は制御装置、48 は操作器を備えた操作部、401 はウォッシャ装置制御信号、402 はウォッシャ液残量情報信号、49 はＴＶカメラと制御装置 47 とを結合する通信ケーブル、40 は制御装置 47 と操作部 48 とを結合する通信線である。
【００１５】
図４において、通信線 404 を介して操作者は遠隔にある複数のＴＶカメラ側と通信を行い、必要な映像その他の情報を取得し、必要ならば、遠隔のＴＶカメラ側の各種装置を制御する。
即ち、ＴＶカメラ 41 は視野範囲内を撮像し、映像信号を通信ケーブル 49 を介して制御装置 47 に出力する。制御装置 47 は、入力された映像信号を所定の伝送形式に変換して、通信線 40 を介して操作部 48 に出力する。同様に、ＴＶカメラ 41 に付属のセンサ等の情報を操作部 48 に出力する。
操作部 48 は入力された映像信号やセンサ情報をモニタまたは外部機器に表示または出力する。外部機器は、例えば、プリンタ、スピーカ、表示灯、警報機、ネットワーク、等である。
【００１６】
操作者は、操作部 48 によって表示された映像を見て、必要と判断した場合には、操作部 48 の操作器を操作してＴＶカメラ 41 の撮像範囲の変更や、プリセット位置の選択、プリセット位置の登録、更新、等を行う。また、操作者は、必要と判断した場合には、操作部 48 の操作器を操作して、ウォッシャ装置とワイパ装置を動作させる。
【００１７】
操作部 48 は、上記操作者の操作に応じた操作信号を、通信線 40 を介して、制御装置 47 に出力する。
制御装置 47 は、操作信号を入力し、入力された操作信号の種類に応じて、それぞれ該当するＴＶカメラ装置に制御信号を出力する。
例えば、ＴＶカメラ装置やその付属機器を操作するための制御信号は、通信ケーブル 49 を介してＴＶカメラ 41 に出力し、ウォッシャ装置 43 を操作するための制御信号は、ウォッシャ装置 43 と制御装置 47 とを結合するケーブルを介して、ウォッシャ装置制御信号 401 をウォッシャ装置 43 に出力し、ワイパ装置を制御するための制御信号は、ワイパ装置と制御装置 47 とを結合するケーブルを介して制御信号をワイパ装置に出力する。
【００１８】
ウォッシャ装置 43 は、入力された制御信号に従って、例えば、ウォッシャノズル 45 からウォッシャ液を噴霧する。また、噴霧を停止する。また、ウォッシャ装置に備えられたウォッシャタンク内のウォッシャ液の残量を、ウォッシャ液残量情報信号 402 に変換し、制御装置 47 に出力する。
尚、ウォッシャ液残量情報信号 402 は、制御装置 47 から与えられる制御信号に応じて出力する他、予め、定められた所定の時間間隔で出力しても良い。
ワイパ装置は、入力された制御信号に従って、例えば、ワイパを駆動する。また、駆動を停止する。
その他、ＴＶカメラ装置は、制御装置 47 から与えられる制御信号によって動作を行う。
【００１９】
図３によって、本発明のウォッシャ動作の一実施例を更に説明する。図３は、本発明のＣＣＴＶカメラシステムのウォッシャ方法の一実施例の動作例を示すフローチャートである。
図３においては、予めウォッシャ装置のノズル位置にＴＶカメラのプリセット位置を登録してある。
ステップ３０１では、操作者が操作部 48 の操作器でウォッシャボタンを押す。操作部 48 はウォッシャ開始の操作信号を通信回線 40 を介して制御装置 47 に出力する。制御装置 47 は入力された操作信号を解析し、ＴＶカメラ 41 にプリセット位置をウォッシャ装置 43 のウォッシャノズル口に変更（移動）するための制御信号を出力する。同時に内蔵のカウンタをリセットし、時間のカウント開始する。そして、所定時間 to 後に、ウォッシャ装置 43 にウォッシャ液の噴霧開始のためにウォッシャ装置制御信号 401 を出力する。そして、所定時間 to ＋ t1 後にワイパ装置にワイパ駆動開始のための制御信号を出力する。
また更に、所定時間 to ＋ t1 ＋ t2 後に、ウォッシャ装置 43 にウォッシャ液の噴霧停止の制御信号 401 を出力し、かつ、ワイパ装置にワイパ駆動停止のための制御信号を出力する。
【００２０】
ステップ 302 では、ＴＶカメラ 41 は、入力された制御信号（プリセット位置を移動）に応じてウォッシャ装置 43 のウォッシャノズル位置にプリセット位置を移動する。
次、にステップ 303 では、ウォッシャ装置 43 は、入力された制御信号（噴霧開始）に応じてウォッシャノズル口からウォッシャ液を噴霧する。
次に、ステップ 304 では、ワイパ装置は、入力された制御信号（ワイパ駆動開始）に応じてワイパを駆動する。時間 t1 は、例えば、ウォッシャ装置 43 のポンプがウォッシャタンクからウォッシャ液を汲み上げ始め、ウォッシャノズル口から噴出し始めるまでの時間である。
次に、ステップ 305 では、ウォッシャ装置 43 は、入力された制御信号（噴霧停止）に応じてウォッシャノズル口からのウォッシャ液噴霧を停止する。また、ワイパ装置は、入力された制御信号（ワイパ駆動停止）に応じてワイパの駆動停止する。
【００２１】
図５は、本発明の一実施例のウォッシャ装置の外観を示す図である。51 はウォッシャタンク、52 は電気部品、53 は電気部品カバー、54 はケーブル出入口、55 は給水口、 56 はポンプユニット、57 は液量インジケータである。
図５において、電気部品 52 は、例えば、ブレーカ、表示灯、表示灯の電源、スイッチ、等である。また、ケーブル出入口 54 は、例えば、防水コネクタ構造である。
また、ウォッシャ装置の本体は、ＳＵＳ製にするか、またはアクリル、ポリウレタン等の焼付け塗装処理とすることで、ウォッシャ液をこぼした場合でもウォッシャ装置に漏電、錆び等の影響がない。
【００２２】
図３に示す実施例のように、操作者は、ウォッシャボタンを一回押すだけで、一連の連動動作が可能である。
また、図４に示す実施例のように、ウォッシャ装置からウォッシャ残量の信号が出力され、その信号をリモート側が受け、操作器等に表示させる。
また、図５に示す実施例のように、電気部品等はカバーをし、ケーブルが出る箇所は、防水コネクタを使用する。また、本体をＳＵＳ製とするか、防錆材料で覆うことで、ウォッシャ液をこぼした場合でもウォッシャ装置に漏電、錆び等の影響がない。
【図面の簡単な説明】
【００２３】
【図１】従来のウォッシャ方法を説明するためのフローチャート。
【図２】本発明のＴＶカメラにウォッシャ装置を取付けた構造の一実施例を示す図。
【図３】本発明の一実施例のウォッシャ装置の動作例を示すフローチャート。
【図４】本発明の一実施例のウォッシャ装置を備えたＴＶカメラ装置のブロック図。
【図５】本発明の一実施例のウォッシャ装置の外観を示す図。
【符号の説明】
【００２４】
1 ：ＴＶカメラ、  2：ウォッシャ装置のノズル位置に移動した場合のＴＶカメラ、  3：ウォッシャ装置、  4：ウォッシャ装置収納箱、  5：ウォッシャノズル、  6：カメラポール、  40：通信線、  41 はＴＶカメラ、  43：ウォッシャ装置、  47：制御装置、  48：操作器を備えた操作部、  49：通信ケーブル、  401：ウォッシャ装置制御信号、  402：ウォッシャ液残量情報信号。
【図１】
2006049989.tif 000003
【図２】
2006049989.tif 000004
【図３】
2006049989.tif 000005
【図４】
2006049989.tif 000006
【図５】
2006049989.tif 000007